(57)【要約】【課題】追記型メモリカードを使用した場合でもプリント指定動作に伴ってメモリ領域を無駄に消費してしまうことを防止する。【解決手段】本発明の記録装置は、同一の記録領域に対して一回のみデータの書き込みが可能な第１の記録媒体と複数回繰り返しデータの書き込みが可能な第２の記録媒体に対して画像データを書き込む書き込み手段と、前記画像データに係る画像の印刷動作を指定する印刷管理データを生成し、前記書き込み手段に出力する管理データ処理手段と、前記第１の記録媒体に対する前記印刷管理データの書き込みを禁止すると共に前記第２の記録媒体に対する前記印刷管理データの書き込みを許可する制御手段とを備える構成とした。【選択図】      図４
2004254062.tif 000002
【特許請求の範囲】
【請求項１】
同一の記録領域に対して一回のみデータの書き込みが可能な第１の記録媒体と複数回繰り返しデータの書き込みが可能な第２の記録媒体に対して画像データを書き込む書き込み手段と、
前記画像データに係る画像の印刷動作を指定する印刷管理データを生成し、前記書き込み手段に出力する管理データ処理手段と、
前記第１の記録媒体に対する前記印刷管理データの書き込みを禁止すると共に前記第２の記録媒体に対する前記印刷管理データの書き込みを許可する制御手段とを備える記録装置。
【請求項２】
前記制御手段は更に、前記第１の記録媒体に対する前記印刷管理データの書き込みを禁止したことを示す情報を表示手段に表示することを特徴とする請求項１記載の記録装置。
【請求項３】
同一の記録領域に対して一回のみデータの書き込みが可能な第１の記録媒体と複数回繰り返しデータの書き込みが可能な第２の記録媒体に対して画像データを書き込む書き込み手段と、
前記画像データに係る画像の印刷動作を指定する印刷管理データを生成し、前記書き込み手段に出力する管理データ処理手段と、
前記書き込み手段が前記画像データを書き込もうとする記録媒体が前記第１の記録媒体と第２の記録媒体の何れであるかを検出する検出手段と、
前記検出手段により第１の記録媒体が検出された場合には前記印刷管理データの生成を禁止すると共に前記第２の記録媒体が検出された場合には前記印刷管理データの生成を許可する制御手段とを備える記録装置。
【請求項４】
前記制御手段は更に、前記第１の記録媒体が検出された場合には前記印刷管理データの生成を禁止したことを示す情報を表示手段に表示することを特徴とする請求項３記載の記録装置。
【請求項５】
同一の記録領域に対して一回のみデータの書き込みが可能な第１の記録媒体と複数回繰り返しデータの書き込みが可能な第２の記録媒体に対して画像データを書き込む書き込み手段と、
前記画像データに係る画像の印刷動作を指定する印刷管理データを生成し、前記書き込み手段に出力する管理データ処理手段と、
前記第１の記録媒体に対しては１回のみ前記印刷管理データの書き込みを許可すると共に前記第２の記録媒体に対しては繰り返し前記印刷管理データの書き込みを許可する制御手段とを備える記録装置。
【請求項６】
同一の記録領域に対して一回のみデータの書き込みが可能な第１の記録媒体と複数回繰り返しデータの書き込みが可能な第２の記録媒体のうちの一方が選択的に装着され、前記第１の記録媒体または第２の記録媒体に対して画像データを書き込む書き込み手段と、
操作手段の操作に従い前記画像データに係る画像の印刷動作を指定する印刷管理データを生成し、前記書き込み手段に出力する管理データ処理手段と、
前記第１の記録媒体が装着された場合には前記印刷動作の指示が出せないよう前記操作手段による操作を無効とすると共に前記第２の記録媒体が装着された場合には前記操作手段による前記印刷動作の指示を有効とする制御手段とを備える記録装置。
【請求項７】
同一の記録領域に対して一回のみデータの書き込みが可能な第１の記録媒体と複数回繰り返しデータの書き込みが可能な第２の記録媒体に対して画像データを書き込む書き込み手段と、
前記画像データに係る画像の印刷動作を指定する印刷管理データを生成し、前記書き込み手段に出力する管理データ処理手段と、
前記書き込み手段が前記画像データを書き込もうとする記録媒体が前記第１の記録媒体と第２の記録媒体の何れであるかを検出する検出手段と、
前記検出手段の検出結果に基づいて前記書き込み手段による前記印刷管理データの書き込み動作を制御する制御手段とを備える記録装置。
【請求項８】
同一の記録領域に対して一回のみデータの書き込みが可能な第１の記録媒体と複数回繰り返しデータの書き込みが可能な第２の記録媒体に対して画像データを書き込む書き込み手段と、
前記画像データに係る画像の印刷動作を指定する印刷管理データを生成し、前記書き込み手段に出力する管理データ処理手段と、
前記書き込み手段が前記画像データを書き込もうとする記録媒体が前記第１の記録媒体と第２の記録媒体の何れであるかを検出する検出手段と、
前記検出手段の検出結果に基づいて前記管理データ処理手段による前記印刷管理データの生成動作を制御する制御手段とを備える記録装置。
【請求項９】
同一の記録領域に対して一回のみデータの書き込みが可能な第１の記録媒体と複数回繰り返しデータの書き込みが可能な第２の記録媒体のうちの一方が選択的に装着され、前記第１の記録媒体または第２の記録媒体に対して画像データを書き込む書き込み手段と、
前記画像データに係る画像の印刷動作を指定する印刷管理データを生成し、前記書き込み手段に出力する管理データ処理手段と、
前記第１の記録媒体が装着された場合には前記印刷管理データの生成を禁止すると共に前記第２の記録媒体が装着された場合には前記印刷管理データの生成を許可する制御手段とを備える記録装置。
【請求項１０】
前記印刷管理データをＤＰＯＦ（Ｄｉｇｉｔａｌ  Ｐｒｉｎｔ  Ｏｒｄｅｒ  Ｆｏｒｍａｔ）に従って生成することを特徴とする請求項１から９記載の記録装置。
【発明の詳細な説明】
【０００１】
【発明の属する技術分野】
本発明は記録装置に関し、特に記録回数が制限された記録媒体に対してデータを記録する装置に関する。
【０００２】
【従来の技術】
従来、デジタルスチルカメラ（ＤＳＣ）やデジタルビデオカメラ（ＤＶＣ）など、静止画像をデジタル信号として記録する装置が知られている。
【０００３】
これらの装置では、記録媒体としてリムーバブルな小型メモリカードを使用する事が一般的である。これにより、銀塩カメラのフィルム交換と同様に、メモリカードを交換することで撮影可能枚数を増やすことができる。また、撮影済みのカードをＤＰＥ店に預け、静止画像をプリントアウトすることも可能になる。
【０００４】
また、記録した静止画像をパーソナルコンピュータ（ＰＣ）で閲覧する際に、メモリカードをカメラから抜き出してＰＣへと挿入するだけでよく、利便性も高い。
【０００５】
最近では、カードスロットを持つプリンタも有り、スロットにメモリカードを挿入し、画像を指定するだけで、容易に静止画像をプリントすることができる。
【０００６】
このようなＤＰＥや家庭での静止画像のプリントアウトをより簡単に行うために、ＤＰＯＦ（Ｄｉｇｉｔａｌ  Ｐｒｉｎｔ  Ｏｒｄｅｒ  Ｆｏｒｍａｔ）という規格が提案されている。ＤＰＯＦ対応のＤＳＣやＤＶＣであれば、撮影した画像に対し、カメラ本体の操作により、プリント画像やプリント枚数などを指定することができ、このプリント情報は静止画像が記録されているメモリカード内に、プリント指定情報テキストデータファイルとして記録される。
【０００７】
このようなプリント情報が記録されたメモリカードを、ＤＰＯＦ対応のＤＰＥ店や、メモリカードスロット搭載のプリンタなどで利用することにより、容易に所望の静止画像を必要な枚数だけプリントする事ができる。
【０００８】
一方、前述のような小型メモリカードに対しては低価格化の要求が大きく、カード内の同一記録領域に対するデータの書き込み動作を１回のみに制限する事で価格を低く抑える追記型メモリカードの開発が行われている。
【０００９】
【発明が解決しようとする課題】
しかしながら、ＤＰＯＦに従うプリント指定情報ファイルは、ユーザのプリント指定変更に伴い、随時書き換える必要があるため、低コストな追記型メモリカードの利用には適さない。
【００１０】
即ち、ファイルの書き換えは、ファイルの記録されたメモリ領域の無効化、および新規メモリ領域の割り当て、メモリ領域へのファイル内容の書き込みが必要になる。また、通常このようなメモリカードは、ある一定サイズのセクタと呼ばれる単位で管理されているため、どんなにデータサイズの小さな書き換えでも、少なくとも一つのセクタが必要になる。
【００１１】
このような処理は、プリント指定画像の変更、追加、削除、プリント枚数の変更等により頻繁に発生する可能性がある。
【００１２】
そのため、書き換え可能なメモリカードに対するプリント指定処理と同様に、追記型メモリカードに対してもプリント指定動作を行っていると、有効メモリ領域をユーザが意識せずに消費してしまう危険性がある。
【００１３】
本発明はこの様な問題を解決し、追記型メモリカードを使用した場合でもプリント指定動作に伴ってメモリ領域を無駄に消費してしまうことを防止することを目的とする。
【００１４】
【課題を解決するための手段】
前記課題を解決するため、本発明においては、同一の記録領域に対して一回のみデータの書き込みが可能な第１の記録媒体と複数回繰り返しデータの書き込みが可能な第２の記録媒体に対して画像データを書き込む書き込み手段と、前記画像データに係る画像の印刷動作を指定する印刷管理データを生成し、前記書き込み手段に出力する管理データ処理手段と、前記第１の記録媒体に対する前記印刷管理データの書き込みを禁止すると共に前記第２の記録媒体に対する前記印刷管理データの書き込みを許可する制御手段とを備える構成とした。
【００１５】
【発明の実施の形態】
図１は本発明が適用されるデジタルスチルカメラ（ＤＳＣ）１００の構成を示すブロック図である。
【００１６】
図１において、１０１は撮像部であり、被写体画像を撮影してデジタル画像データを生成し、信号処理部１０２に出力する。１０２は信号処理部であり、撮影時には撮像部１０１からの画像データを符号化してカードＩ／Ｆ１０４に出力し、再生時にはカードＩ／Ｆにより再生された画像データを復号して表示部１０３に出力する。また信号処理部１０２は撮像部１０１からの画像データを表示部１０３に出力して表示する。１０３は表示部であり、撮影時には被写体画像を表示し、再生時にはメモリカードＭから再生された画像データを表示する。
【００１７】
１０４はカードＩ／Ｆであり、メモリカードＭに対して画像データの書き込み、読み出しを行う。１０５は制御部であり、操作部１０６からの指示に従って信号処理部１０２とカードＩ／Ｆ１０４の動作を制御する。また、制御部１０５は後述の用に表示部１０３に対してメニュー画面など各種の情報を表示する。１０６は操作部であり、記録キーや再生スイッチなど、各種の操作キーを含む。
【００１８】
本形態のデジタルカメラ１００は、繰り返しデータの書き換えが可能な通常のメモリカードと、同一のアドレスに対して１回のみデータの書き込みが可能な追記型メモリカードとに対して画像データの書き込み、読み出しが可能である。
【００１９】
図２は図１のカードＩ／Ｆ１０４の構成を示す図である。
【００２０】
図２において、２０１はファイル管理部であり、信号処理部１０２から出力された画像データに基づく画像ファイルやプリント指定管理ファイル等の画像管理ファイルを管理している。そして、制御部１０５の指示により画像ファイルの作成や削除機能、画像管理ファイルの作成や削除、編集等の機能を有する。更に、各ファイルを用いた各種操作を、メモリカードの各セクタへの書き込み（Ｗｒｉｔｅ）、読み出し（Ｒｅａｄ）指示へと翻訳し、メディア制御部２０２へ指示を出す機能を有する。ファイル管理部２０１により記録メディアの各セクタの使用情報が管理されている。
【００２１】
２０２はメディア制御部であり、ファイル管理部２０１から指示されるセクタ単位のＷｒｉｔｅ／Ｒｅａｄ指示に対し、カードスロット２０３に挿入されているメモリカードの種別に応じたセクタ処理を実行する機能を有する。
【００２２】
２０３はカードスロットであり、使用するメモリカードが挿入される。カードスロット２０３により物理的に挿入されるメディアは限定される。
【００２３】
２０４はメディア種別判定部であり、カードスロット２０３へのメモリカードの挿入の有無を判定すると共に、挿入されたメモリカードが書き換え可能カードＭ１か追記型カードＭ２のいずれであるのかをその物理的形状から判別する。また、判別したカード種別の情報をファイル管理部２０１、メディア管理部２０２に通知する。
【００２４】
Ｍ１は書き換え可能メモリカード、Ｍ２は追記型メモリカードであり、その物理的形状は異なっている。
【００２５】
次に、図１のＤＳＣ１００において、プリント指定指示があった場合の処理について説明する。
【００２６】
図４はプリント指定の指示があった場合のＤＳＣ１００の処理を示すフローチャートである。
【００２７】
ユーザによりプリント指定指示があると、制御部１０５はその旨をファイル管理部２０１に知らせる。ファイル管理部２０１はカードスロットに装着されているメモリカードの種別をチェックする（ステップＳ４０１）。
【００２８】
装着されたメモリカードが書き換え可能カードであった場合、既にメモリカード内にプリント指定管理ファイルが存在するか否かをチェックする（ステップＳ４０２）。管理ファイルが存在しない場合には、新たに管理ファイルの作成が可能か否かを判別して可能な場合には管理ファイルを作成する（ステップＳ４０３）。また、管理ファイルが存在する場合には、カード制御部２０２によりメモリカードから管理ファイルを読み出し、ファイル管理部２０１は読み出された管理ファイルをオープンする（ステップＳ４０４）。そして、ユーザにより指定された内容に従って管理ファイルの内容を更新し（ステップＳ４０５）、管理ファイルをクローズする。カード制御部２０２は管理ファイルがクローズされると再びメモリカードに管理ファイルを書き込む（ステップＳ４０６）。
【００２９】
一方、装着されたメモリカードが追記型カードであった場合、制御部１０５は表示部１０３に対し、プリント指定が禁止されている旨の情報を表示し、プリント枚数指定処理を終了する（ステップＳ４０７）。
【００３０】
また、ステップＳ４０３において、何らかの理由により管理ファイルの作成ができなかった場合には、ステップＳ４０７へと進み、表示部１０３にその旨を表示して処理を終了する。
【００３１】
本形態におけるメモリカード内でのファイル構成およびプリント指定管理ファイルの内容を図３に示す。ここでは具体例として、ＤＰＯＦを適用した場合について示す。
【００３２】
図３（ａ）がファイル構成を示し、図３（ｂ）がプリント指定管理ファイルの内容を示している。プリント指定管理ファイルはテキストデータファイルであり、ファイル名としては、ＡＵＴＰＲＩＮＴ．ＭＲＫ  を使用し、Ｒｏｏｔディレクトリ配下のＭＩＳＣディレクトリ内に記録されるように定められている。
【００３３】
図３から明らかなように、ヘッダ情報として、管理ファイルフォーマットのバージョン、作成日時等が記録され（３０１）、プリント枚数指定情報として、一つの静止画像ファイルにつき、プリント形態、プリント枚数、静止画像ファイルの所在等が記録されている（３０２）。
【００３４】
図３では、ＩＭＧ＿０１７４．ＪＰＧのプリント指定が１枚、ＩＭＧ＿０１７４．ＪＰＧのプリント指定が０枚（指定無し）、ＩＭＧ＿０１７４．ＪＰＧのプリント指定が４枚となる。
【００３５】
以上説明した様に、本形態によれば、装着されたメモリカードが追記型のカードであった場合にはプリント指定処理を禁止し、カードに対するプリント指定管理ファイルの書き込みを禁止しているため、ユーザが追記型カードであることを認識していない状態でプリント指定を行ってしまい、カード容量を無意識のうちに消費してしまうことを防ぐことが可能となる。
【００３６】
次に、第２の実施形態について説明する。
【００３７】
本形態においてもＤＳＣ１００の構成は図１、図２のものと同様であるが、追記型メモリカードの装着時におけるプリント指定指示に対する処理が異なる。
【００３８】
図５は本形態におけるプリント指定指示に対する処理を示すフローチャートである。
【００３９】
ユーザが操作部１０６を操作して、プリント枚数を指定するために画像プロパティメニューを呼び出すと、装着されているメモリカードの種類を判別する（ステップＳ５０１）。
【００４０】
チェックの結果、通常の書き換え可能カードであった場合には、プリント指定関連メニューを有効化し（ステップＳ５０２）、ユーザがメニューを選択できるようにする。
【００４１】
また、追記型カードであった場合には、プリント指定関連メニューを無効化し（ステップＳ５０３）、ユーザがメニューを選択できないようにする。
【００４２】
次に、第３の実施形態について説明する。
【００４３】
本形態では、追記型メディアの場合でも１度だけプリント指定管理ファイルの作成を認めるものである。
【００４４】
図６は本形態におけるプリント指定指示に対する処理を示すフローチャートである。
【００４５】
ユーザが操作部１０６を操作して、プリント枚数を指定するために画像プロパティメニューを呼び出すと、装着されているメモリカードの種類を判別する（ステップＳ６０１）。
【００４６】
チェックの結果、通常の書き換え可能カードであった場合には、プリント指定関連メニューを有効化し（ステップＳ６０２）、ユーザがメニューを選択できるようにする。
【００４７】
一方、追記型カードであった場合、更にそのカードが記録済み、つまり、もうこれ以上静止画像ファイルを作成しないかどうかをチェックする（ステップＳ６０３）。例えば、ＤＰＯＦを利用した場合には、先述のＭＩＳＣディレクトリの有無により判定する方法が考えられる。既にＭＩＳＣディレクトリが存在する記録メディアについては撮影済み、存在しない記録メディアについては、さらに静止画像の追加の可能性があるものと判定する。
【００４８】
撮影済みと判定した場合、更に、プリント指定管理ファイルがカード内に既に存在するか否かをチェックする（ステップＳ６０４）。例えばＤＰＯＦを利用した場合には、ＭＩＳＣディレクトリ中のＡＵＴＰＲＩＮＴ．ＭＲＫファイルの有無をチェックする。
【００４９】
既に管理ファイルが存在する場合、プリント指定済みと判断し、これ以上の指定を行えないように、プリント指定関連メニューを無効化する（ステップＳ６０５）。また、管理ファイルが存在しない場合には、プリント指定を可能とするため、プリント指定関連メニューを有効化する。
【００５０】
また、ステップＳ６０３で撮影済みではないと判断した場合、プリント指定関連メニューを無効化する事で、ユーザがメニューを選択できないようにする。
【００５１】
以上の様に、本形態では、追記型カードの使用時でも、１度はプリント指定を行うことができる。
【００５２】
尚、各実施形態では、メモリカードの物理的形状の特徴を検出することで装着されているメモリカードの種類を判別したが、メモリカード内にその種別情報を記録しておき、この情報に基づいてメモリカードの種類を判別してもよい。
【００５３】
【発明の効果】
以上説明した様に、本発明によれば、記録可能な回数が制限されている記録媒体を扱う場合にも、印刷管理データを無意識に書き込んでしまい、記録媒体を無駄に使用してしまうことを防止することができる。
【図面の簡単な説明】
【図１】本発明が適用されるデジタルカメラの構成を示す図である。
【図２】カードＩ／Ｆの構成を示す図である。
【図３】カード内のファイルの様子を示す図である。
【図４】プリント指定管理ファイルの処理を示すフローチャートである。
【図５】プリント指定管理ファイルの処理を示すフローチャートである。
【図６】プリント指定管理ファイルの処理を示すフローチャートである。
【図１】
2004254062.tif 000003
【図２】
2004254062.tif 000004
【図３】
2004254062.tif 000005
【図４】
2004254062.tif 000006
【図５】
2004254062.tif 000007
【図６】
2004254062.tif 000008